(57)【特許請求の範囲】
【請求項１】
通帳類取扱装置において、媒体への印字を行うために必要となる印字ヘッド移動部での搬送路開口部における媒体搬送時の媒体ジャムを防止するため一の媒体搬送ガイドのみによって前記搬送路開口部の一部を塞ぐように構成しており、
前記媒体搬送ガイドは、媒体搬送方向に対し垂直方向に移動することができ、搬送する媒体の種類が分かっている場合には、媒体ジャム防止に最も効果的な予めテーブルに用意された位置に、媒体の種類が分からない場合には、センサで媒体幅寸法を検知して算出した媒体中央位置に、媒体搬送ガイドを移動させて媒体の搬送を行うことで、媒体搬送時のジャムを防止することを特徴とし、
前記搬送する媒体の種類が分っている場合に予めテーブルに用意された位置に媒体搬送ガイドを移動させた後、媒体の位置に応じて前記媒体搬送ガイドの移動した位置を補正する通帳類取扱装置。
【請求項２】
請求項１に記載の通帳類取扱装置であって、
前記媒体搬送ガイドは媒体への印字を行う印字ヘッドの移動と同一に移動することを特徴とする通帳類取扱装置。
【請求項３】
請求項１又は２に記載の通帳類取扱装置であって、
前記搬送する媒体の種類が分っている場合に予めテーブルに用意された位置に媒体搬送ガイドを移動させた後、媒体の位置に応じて前記媒体搬送ガイドの移動した位置を補正する通帳類取扱装置。
【発明の詳細な説明】
【０００１】
【発明の属する技術分野】
本発明は、通帳類等の媒体を挿入し該媒体への印字等各種処理を行う装置に関する。
【０００２】
【従来の技術】
従来の通帳類取扱装置では、媒体搬送ガイドの媒体搬送方向に対し垂直方向の長さについて、使用媒体に応じた長さのものを使用することで搬送路開口部の範囲が狭くなるようにしている。
【０００３】
【発明が解決しようとする課題】
この場合、媒体搬送ガイドの媒体幅方向の寸法が長くなるほど、同一装置幅での媒体幅方向の印字可能範囲が狭くなるという不具合があった。
【０００４】
本発明の目的は、搬送路開口部における媒体搬送時の媒体ジャム防止を、装置幅寸法の制約を緩和し、シンプルな機構で低価格に実現することができる通帳類取扱装置を提供することにある。
【０００５】
【課題を解決するための手段】
通帳類取扱装置において、搬送路開口部における媒体ジャムを防止するための媒体搬送ガイドを、搬送する媒体の種類に応じた位置に移動させて媒体を搬送することで、必要最小限の長さの媒体搬送ガイドで多様な媒体の搬送ジャムをシンプルな機構で防止する。
【０００６】
【発明の実施の形態】
以下、本発明の一実施例による通帳類取扱装置について図面を参照して説明する。図１は本発明の実施形態による通帳類取扱装置の側面図、図２は本通帳類取扱装置の媒体搬送ガイドを説明する側面図、図３は本通帳類取扱装置の媒体搬送ガイドを説明する上面図、図４は本通帳類取扱装置の制御ブロック図、図５は本通帳取扱装置の媒体搬送ガイド制御フロー図である。  本発明の実施形態による通帳類取扱装置は、図１、図２、図３に示すように筐体１、搬送路２、挿入口３、搬送駆動ローラ４、搬送押圧ローラ５、印字ヘッド６、プラテン７、媒体検知センサ８、搬送制御センサ９、媒体整合機構１０、搬送ガイド１１、印字キャリア１２、媒体搬送ガイド１３、ノーズブロック１４、媒体倣いローラ１５、プラテンソレノイド１６、プラテン押圧バネ１７、サポートレール１９、搬送モータ２７、印字キャリアモータ２８、媒体整合機構ソレノイド２９から構成され、媒体搬送ガイド１３と媒体検知センサ８は印字キャリア１２と一体で移動する構造であり、図４に示す制御ブロック図により制御される。
【０００７】
次にこの通帳類取扱装置の動作の一例を図１、図２及び図３により説明する。また、以下で説明する処理の要点を図５のフロー図に示す。
【０００８】
本通帳類取扱装置で通帳等の媒体に対して処理を行う際には、挿入口３から挿入された媒体１８を処理に必要な位置へ搬送路２で搬送する。媒体搬送時、印字ヘッド６の移動部にある搬送路開口部２０を媒体１８が通過する際、媒体搬送ガイド１３の位置制御を行うことで媒体ジャムを防止する。印字処理を行う例で以下説明する。
【０００９】
まず、処理を行おうとしている媒体１８の種類が分かっている等で、パラメータテーブルを利用する場合の制御について説明する（図５（ａ）参照）。挿入口３から挿入された媒体１８の搬送を開始する前に、媒体の種類とその媒体における最適な媒体搬送ガイド移動位置情報からなるパラメータテーブルを参照し、媒体１８の種類に応じた媒体搬送ガイド移動位置Ｐを取得する。媒体搬送ガイドを前記パラメータテーブルから得た媒体搬送ガイド移動位置Ｐへ移動させた後、搬送ローラ４を駆動し、印字位置まで媒体を搬送する。前記動作により、媒体１８が印字ヘッド６の移動部にある搬送路開口部２０を通過する際、媒体１８に最適な搬送路開口部２０の位置を媒体搬送ガイド１３で塞ぎ、媒体ジャムの発生を防止することができる。媒体１８が印字位置まで搬送された後、印字キャリア１２を媒体左端方向に移動させることで媒体検知センサ８により媒体１８の左端位置Ｓを検知する。検知後、前記パラメータテーブルで得た媒体搬送ガイド移動位置ＰをＰ＝Ｐ＋Ｓの式により補正する。以降の処理において、搬送路開口部２０を媒体１８が通過する場合は、媒体搬送ガイド１３を前記補正後の媒体搬送ガイド位置Ｐへ移動させてから搬送を行うことで媒体ジャムを防止する。
【００１０】
次に媒体吸入時に媒体の種類がわからない場合等で、パラメータテーブルを利用しない場合の制御について説明する（図５（ｂ）参照）。挿入口３から挿入された媒体１８の搬送を開始する前に、媒体搬送ガイド１３を媒体検知センサ８が搬送路外へ出る位置８ａにくるように印字キャリア１２を駆動することで移動させる。この後、搬送ローラ４を駆動することで、媒体検知センサ８の位置を吸入方向へ超える位置まで媒体１８を搬送する。その後、印字キャリア１２を媒体右端方向へ移動させ、媒体検知センサ８で媒体の左端位置Ｓ及び右端位置Ｒの検知を行い、媒体幅寸法Ｗを算出することで、媒体搬送ガイド移動位置ＰをＰ＝Ｓ＋Ｗ／２の式により決定する。決定された媒体搬送ガイド移動位置Ｐへ媒体搬送ガイド１３を移動させた後、媒体１８の搬送を行う。以降の処理において、搬送路開口部２０を媒体１８が通過する場合は、媒体搬送ガイド１３を前記で決定した媒体ガイド移動位置Ｐへ移動させてから搬送を行うことで媒体ジャムを防止する。
【００１１】
【発明の効果】
本発明によれば、通帳類取扱装置においてシンプルな機構で搬送路開口部における媒体ジャムを防止することができる。これにより低価格で通帳類印字装置の信頼性を向上させることができるという効果がある。
【図面の簡単な説明】
【図１】本発明の一実施形態による通帳類取扱装置の側面図
【図２】本実施形態による通帳類取扱装置の搬送路開口部の側面図
【図３】本実施形態による通帳類取扱装置の搬送路開口部の上面図
【図４】本実施形態による通帳類取扱装置の制御ブロック図
【図５】本実施形態による通帳類取扱装置の制御フロー図
【符号の説明】
１：筐体、２：搬送路、３：挿入口、４：搬送駆動ローラ、５：搬送押圧ローラ、６：印字ヘッド、６ａ：印字ヘッドノーズ、７：プラテン、８：媒体検知センサ、８ａ：搬送路外へ移動した時の媒体検知センサ位置、９：搬送制御センサ、１０：媒体整合機構、１１：搬送ガイド、１２：印字キャリア、１３：媒体搬送ガイド、１４：ノーズブロック、１５：媒体倣いローラ、１６：プラテンソレノイド、１７：プラテン押圧バネ、１８：媒体、１９：サポートレール、２０：搬送路開口部、２１：搬送路左端面、２２：制御ユニット、２３：搬送モータ駆動回路、２４：印字キャリアモータ駆動回路、２５：プラテンソレノイド駆動回路、２６：媒体整合機構ソレノイド駆動回路、２７：搬送モータ、２８：印字キャリアモータ、２９：媒体整合機構ソレノイド、３０：インクリボン
【図１】
0003921350.tif 000002
【図２】
0003921350.tif 000003
【図３】
0003921350.tif 000004
【図４】
0003921350.tif 000005
【図５】
0003921350.tif 000006